(57)【特許請求の範囲】
【請求項１】
ＧＰＲＳトンネリングプロトコル（ＧＴＰ）伝送チャネルを構成するための方法であって、前記方法は、
Ｘｎインターフェースを通してプロトコルデータユニット（ＰＤＵ）セッション関連情報を取得することであって、前記Ｘｎインターフェースは、第１のネットワーク要素内のユーザプレーンデータに関わるユーザプレーン集中型ユニット（ＣＵ−Ｕ）と前記第１のネットワーク要素内の制御プレーンデータに関わる制御プレーン集中型ユニット（ＣＵ−Ｃ）との間の相互作用に使用される、ことと、
前記ＰＤＵセッション関連情報を使用することによって、ＧＴＰ伝送チャネル構成を実施することと、
ローカルＧＴＰ伝送チャネル構成の第１の関連情報を第２のネットワーク要素に伝送することと、
前記第２のネットワーク要素によって伝送されるＧＴＰ伝送チャネル構成の第２の関連情報を受信することと
を含み、
前記ローカルＧＴＰ伝送チャネル構成の第１の関連情報を第２のネットワーク要素に伝送するステップは、前記ＣＵ−Ｃを通して前記第１の関連情報を前記第２のネットワーク要素に転送することを含み、
それに対応して、前記第２のネットワーク要素によって伝送される前記ＧＴＰ伝送チャネル構成の第２の関連情報を受信するステップは、前記第２のネットワーク要素によって送信され、前記ＣＵ−Ｃによって転送される前記第２の関連情報を受信することを含む、方法。
【請求項２】
ＧＴＰ伝送チャネルを構成するための方法であって、
コアネットワークからプロトコルデータユニット（ＰＤＵ）セッション関連情報を取得することと、
Ｘｎインターフェースを通して、前記ＰＤＵセッション関連情報を第１のネットワーク要素内のユーザプレーンデータに関わるＣＵ−Ｕに送信することであって、前記ＰＤＵセッション関連情報は、ＧＴＰ伝送チャネル構成を実施するために前記ＣＵ−Ｕによって使用され、前記Ｘｎインターフェースは、前記ＣＵ−Ｕと前記第１のネットワーク要素内の制御プレーンデータに関わるＣＵ−Ｃとの間の相互作用に使用される、ことと、
前記ＣＵ−Ｕによって送信される前記ＣＵ−ＵのローカルＧＴＰ伝送チャネル構成の第１の関連情報を受信し、前記第１の関連情報を第２のネットワーク要素に転送することと、
前記第２のネットワーク要素によって送信される前記第２のネットワーク要素のローカルＧＴＰ伝送チャネル構成の第２の関連情報を受信し、前記第２の関連情報を前記ＣＵ−Ｕに転送することと
を含む、方法。
【請求項３】
ＧＴＰ伝送チャネルを構成するための装置であって、前記装置は、
Ｘｎインターフェースを通してプロトコルデータユニット（ＰＤＵ）セッション関連情報を取得するように構成されている第１の取得ユニットであって、前記Ｘｎインターフェースは、第１のネットワーク要素内のユーザプレーンデータに関わるＣＵ−Ｕと前記第１のネットワーク要素内の制御プレーンデータに関わるＣＵ−Ｃとの間の相互作用に使用される、第１の取得ユニットと、
前記ＰＤＵセッション関連情報を使用することによって、ＧＴＰ伝送チャネル構成を実施するように構成されている構成ユニットと、
ローカルＧＴＰ伝送チャネル構成の第１の関連情報を第２のネットワーク要素に伝送し、前記第２のネットワーク要素によって伝送されるＧＴＰ伝送チャネル構成の第２の関連情報を受信するように構成されている伝送ユニットと
を備え、
前記伝送ユニットは、前記ＣＵ−Ｃを通して前記第１の関連情報を前記第２のネットワーク要素に転送し、それに対応して、前記第２のネットワーク要素によって送信され、前記ＣＵ−Ｃによって転送される前記第２の関連情報を受信するように構成されている、装置。
【請求項４】
ＧＴＰ伝送チャネルを構成するための装置であって、前記装置は、
コアネットワークからプロトコルデータユニット（ＰＤＵ）セッション関連情報を取得するように構成されている第２の取得ユニットと、
Ｘｎインターフェースを通して、前記ＰＤＵセッション関連情報を第１のネットワーク要素内のユーザプレーンデータに関わるＣＵ−Ｕに送信するように構成されている送信ユニットであって、前記ＰＤＵセッション関連情報は、ＧＴＰ伝送チャネル構成を実施するために前記ＣＵ−Ｕによって使用され、前記Ｘｎインターフェースは、前記ＣＵ−Ｕと前記第１のネットワーク要素内の制御プレーンデータに関わるＣＵ−Ｃとの間の相互作用に使用される、送信ユニットと、
前記ＣＵ−Ｕによって送信される前記ＣＵ−ＵのローカルＧＴＰ伝送チャネル構成の第１の関連情報を受信し、第２のネットワーク要素によって送信される前記第２のネットワーク要素のローカルＧＴＰ伝送チャネル構成の第２の関連情報を受信するように構成されている受信ユニットと
を備え、
前記送信ユニットは、前記第１の関連情報を前記第２のネットワーク要素に転送し、前記第２の関連情報を前記ＣＵ−Ｕに転送するように構成されている、装置。
【請求項５】
コンピュータプログラムを記憶する記憶媒体であって、前記コンピュータプログラムは、プロセッサによって実行されると、請求項１に記載の方法のステップまたは請求項２に記載の方法のステップを実装する、記憶媒体。
【発明の詳細な説明】
【技術分野】
【０００１】
（関連出願への相互参照）
本出願は、２０１７年２月１０日に出願された中国特許出願第２０１７１００７４４６４．０号に基づいて提出され、かつ該中国特許出願に対して優先権を主張する。上記文献の内容は、その全体として参照することによって本明細書において援用される。
【０００２】
（技術分野）
本開示は、無線通信の分野に関し、特に、ＧＰＲＳトンネリングプロトコル（ＧＴＰ）伝送チャネルを構成するための方法および装置ならびに記憶媒体に関する。
【背景技術】
【０００３】
（背景）
第５世代（５Ｇ）モバイル通信システムでは、多数の接続およびユーザのより高いレート要件が、ロングタームエボリューション（ＬＴＥ）システム内の基地局処理ユニット（ＢＢＵ）と遠隔無線ユニット（ＲＲＵ）との間のフロントホールインターフェース、すなわち、共通公衆無線インターフェース（ＣＰＲＩ）の伝送容量に関して大きな課題をもたらす。ＣＰＲＩが物理層符号化変調の処理および同等物を受けるＩＱ信号を伝送するため、ＣＰＲＩは、伝送遅延および帯域幅へのより高い要件を有する。
【０００４】
５Ｇエアインターフェースレートが数十Ｇｂｐｓまで増加されるとき、ＣＰＲＩのトラフィック需要は、Ｔｂｐｓレベルまでアップグレードされるように要求され、ネットワーク展開費用および展開の困難に著しい圧力をかける。したがって、５Ｇシステムでは、フロントホールインターフェースの分割モードを再定義する必要がある。フロントホールインターフェースの分割中に、これは、伝送容量、伝送遅延、容易な展開、および同等物といういくつかの側面から考慮される必要がある。例えば、非理想的フロントホール伝送中に、第１のネットワーク要素（例えば、集中型ユニット（ＣＵ））は、遅延非感受性ネットワーク機能を与えられ、第２のネットワーク要素（例えば、分散型ユニット（ＤＵ））は、遅延感受性ネットワーク機能を与えられている。図１に示されるように、第１のネットワーク要素および第２のネットワーク要素は、理想的および／または非理想的フロントホールインターフェースを通して伝送され、インターフェースは、転送インターフェースと呼ばれる。
【０００５】
第１のプロトコルエンティティ（無線リソース制御（ＲＲＣ）エンティティ等）は、第１のネットワーク要素の中に位置してもよい。第１のプロトコルエンティティは、制御シグナリングを生成し、無線ベアラの確立、修正、および解放のうちの少なくとも１つを維持し、第２のプロトコルエンティティ、第３のプロトコルエンティティ、第４のプロトコルエンティティ、および物理層パラメータの更新を維持する。第２のプロトコルエンティティの機能は、ＬＴＥシステムおよびその強化のパケットデータ収束プロトコル（ＰＤＣＰ）機能に類似し、ユーザは、複数のＰＤＣＰエンティティを定義し得、かつユーザプレーンデータを搬送する各ＰＤＣＰエンティティを構成し得る。各ＰＤＣＰエンティティは、１つの無線ベアラのデータを搬送し、ＰＤＣＰエンティティは、無線ベアラによって搬送される異なるデータに従って、制御プレーンまたはユーザプレーンに対応する。第３のプロトコルエンティティの機能は、ＬＴＥシステムおよびその強化の無線リンク制御（ＲＬＣ）機能に類似する。第４のプロトコルエンティティの機能は、ＬＴＥシステムおよびその強化の媒体アクセス制御（ＭＡＣ）機能に類似する。第２のネットワーク要素は、以下：第２のプロトコルエンティティ、第３のプロトコルエンティティ、第４のプロトコルエンティティ、物理層（ＰＨＹ）、および無線周波数ユニット（ＲＦ）のうちの少なくとも１つを含む。第１のネットワーク要素は、フロントホールインターフェースを通して第２のネットワーク要素と通信し、ＣＵ−ＤＵ分割の可能性として考えられる機能分割は、図２に示される通りである。
【０００６】
実践用途では、図２に示される機能のオプション２に関して、図３に示されるように、ＣＵ内の制御プレーンＰＤＣＰエンティティおよびユーザプレーンＰＤＣＰエンティティが分離される、すなわち、ユーザプレーンおよび制御プレーンに関わる２つのＰＤＣＰが、それぞれ、２つの異なるＣＵの中に位置する、別の可能性がある。説明のために、２つのＣＵは、それぞれ、ユーザプレーン集中型ユニット（ＣＵ−Ｕ）および御プレーン集中型ユニット（ＣＵ−Ｃ）と称され、それによって、ユーザプレーンデータからの制御プレーンデータの分割を実現する。
【０００７】
Ｘｎインターフェースが、ＣＵ−ＣとＣＵ−Ｕとの間に存在する。転送インターフェースＮＧｘが、ＣＵとＤＵとの間に存在する。ＣＵ−ＣとＤＵとの間のインターフェースは、ＮＧｘ−Ｃと呼ばれ、ＣＵ−ＵとＤＵとの間のインターフェースは、ＮＧｘ−Ｕと呼ばれる。
【０００８】
Ｘｎインターフェースを通してＣＵ−ＵとＤＵとの間にＧＴＰ伝送チャネルの構成を実装する方法は、現在解決される必要がある問題である。
【発明の概要】
【発明が解決しようとする課題】
【０００９】
（要約）
本開示の実施形態は、ＧＴＰ伝送チャネルを構成するための方法および装置ならびに記憶媒体を提供する。
【課題を解決するための手段】
【００１０】
本開示の実施形態の技術的ソリューションは、以下のように実装される。
【００１１】
本開示の実施形態は、ＧＴＰ伝送チャネルを構成するための方法を提供する。本方法は、Ｘｎインターフェースを通してセッション関連情報を取得することであって、Ｘｎインターフェースは、第１のネットワーク要素内のユーザプレーンデータに関わるＣＵ−Ｕと第１のネットワーク要素内の制御プレーンデータに関わるＣＵ−Ｃとの間の相互作用に使用される、ことと、セッション関連情報を使用することによって、ＧＴＰ伝送チャネル構成を実施することと、ローカルＧＴＰ伝送チャネル構成の第１の関連情報を第２のネットワーク要素に伝送することと、第２のネットワーク要素によって伝送されるＧＴＰ伝送チャネル構成の第２の関連情報を受信することとを含む。
【００１２】
前述のソリューションでは、取得されたセッション関連情報は、セッション確立プロセスにおけるセッション関連情報である。セッション関連情報を使用することによって、ＧＴＰ伝送チャネル構成を実施するステップは、セッション関連情報を使用することによって、ユーザプレーン構成を実施することを含む。第１の関連情報は、ローカルユーザプレーンデータによって伝送されるＧＴＰ伝送チャネル構成情報である。第２の関連情報は、第１の関連情報に対応する、第２のネットワーク要素のローカルユーザプレーンデータによって伝送されるＧＴＰ伝送チャネル構成情報である。
【００１３】
前述のソリューションでは、取得されたセッション関連情報は、セッション修正プロセスにおけるセッション関連情報である。セッション関連情報を使用することによって、ＧＴＰ伝送チャネル構成を実施するステップは、セッション関連情報を使用することによって、ユーザプレーン構成を修正することを含む。それに対応して、第１の関連情報は、ローカルユーザプレーンデータによって伝送されるＧＴＰ伝送チャネル構成修正情報であり、第２の関連情報は、第１の関連情報に対応する、第２のネットワーク要素のローカルユーザプレーンデータによって伝送されるＧＴＰ伝送チャネル構成修正情報である。
【００１４】
前述のソリューションでは、取得されたセッション関連情報は、セッション削除プロセスにおけるセッション関連情報である。セッション関連情報を使用することによって、ＧＴＰ伝送チャネル構成を実施するステップは、セッション関連情報を使用することによって、ＧＴＰ伝送チャネル構成を削除することを含む。それに対応して、第１の関連情報は、ローカルユーザプレーンデータによって伝送されるＧＴＰ伝送チャネル構成削除情報であり、第２の関連情報は、第１の関連情報に対応する、第２のネットワーク要素のローカルユーザプレーンデータによって伝送されるＧＴＰ伝送チャネル構成削除確認情報である。
【００１５】
前述のソリューションでは、ローカルＧＴＰ伝送チャネル構成の第１の関連情報を第２のネットワーク要素に伝送するステップは、第１の関連情報を第２のネットワーク要素に直接送信することを含む。それに対応して、第２のネットワーク要素によって伝送されるＧＴＰ伝送チャネル構成の第２の関連情報を受信するステップは、第２のネットワーク要素によって直接送信される第２の関連情報を受信することを含む。
【００１６】
前述のソリューションでは、ローカルＧＴＰ伝送チャネル構成の第１の関連情報を第２のネットワーク要素に伝送するステップは、ＣＵ−Ｃを通して第１の関連情報を第２のネットワーク要素に転送することを含む。それに対応して、第２のネットワーク要素によって伝送されるＧＴＰ伝送チャネル構成の第２の関連情報を受信するステップは、第２のネットワーク要素によって送信され、ＣＵ−Ｃによって転送される第２の関連情報を受信することを含む。
【００１７】
本開示の実施形態はまた、コアネットワークからセッション関連情報を取得することと、Ｘｎインターフェースを通して、セッション関連情報を第１のネットワーク要素内のユーザプレーンデータに関わるＣＵ−Ｕに送信することであって、セッション関連情報は、ＧＴＰ伝送チャネル構成を実施するためにＣＵ−Ｕによって使用され、Ｘｎインターフェースは、ＣＵ−Ｕと第１のネットワーク要素内の制御プレーンデータに関わるＣＵ−Ｃとの間の相互作用に使用される、こととを含む、ＧＴＰ伝送チャネル構成方法も提供する。
【００１８】
前述のソリューションでは、コアネットワークからセッション関連情報を取得するステップは、ＮＧインターフェースを通してコアネットワークからセッション関連情報を取得することを含み、ＮＧインターフェースは、ＣＵ−Ｃとコアネットワークとの間の相互作用に使用される。
【００１９】
前述のソリューションでは、本方法はさらに、ＣＵ−Ｕによって送信されるＣＵ−ＵのローカルＧＴＰ伝送チャネル構成の第１の関連情報を受信し、第１の関連情報を第２のネットワーク要素に転送することと、第２のネットワーク要素によって送信される第２のネットワーク要素のローカルＧＴＰ伝送チャネル構成の第２の関連情報を受信し、第２の関連情報をＣＵ−Ｕに転送することとを含む。
【００２０】
本開示の実施形態は、ＧＴＰ伝送チャネルを構成するための装置を提供する。本装置は、第１の取得ユニットと、構成ユニットと、伝送ユニットとを含む。
【００２１】
第１の取得ユニットは、Ｘｎインターフェースを通してセッション関連情報を取得するように構成され、Ｘｎインターフェースは、第１のネットワーク要素内のユーザプレーンデータに関わるＣＵ−Ｕと第１のネットワーク要素内の制御プレーンデータに関わるＣＵ−Ｃとの間の相互作用に使用される。
【００２２】
構成ユニットは、セッション関連情報を使用することによって、ＧＴＰ伝送チャネル構成を実施するように構成される。
【００２３】
伝送ユニットは、ローカルＧＴＰ伝送チャネル構成の第１の関連情報を第２のネットワーク要素に伝送し、第２のネットワーク要素によって伝送されるＧＴＰ伝送チャネル構成の第２の関連情報を受信するように構成される。
【００２４】
前述のソリューションでは、取得されたセッション関連情報は、セッション確立プロセスにおけるセッション関連情報である。構成ユニットは、セッション関連情報を使用することによって、ユーザプレーン構成を実施するように構成される。それに対応して、第１の関連情報は、ローカルユーザプレーンデータによって伝送されるＧＴＰ伝送チャネル構成情報であり、第２の関連情報は、第１の関連情報に対応する、第２のネットワーク要素のローカルユーザプレーンデータによって伝送されるＧＴＰ伝送チャネル構成情報である。
【００２５】
前述のソリューションでは、取得されたセッション関連情報は、セッション修正プロセスにおけるセッション関連情報である。構成ユニットは、セッション関連情報を使用することによって、ユーザプレーン構成を修正するように構成される。それに対応して、第１の関連情報は、ローカルユーザプレーンデータによって伝送されるＧＴＰ伝送チャネル構成修正情報であり、第２の関連情報は、第１の関連情報に対応する、第２のネットワーク要素のローカルユーザプレーンデータによって伝送されるＧＴＰ伝送チャネル構成修正情報である。
【００２６】
前述のソリューションでは、取得されたセッション関連情報は、セッション削除プロセスにおけるセッション関連情報である。構成ユニットは、セッション関連情報を使用することによって、ＧＴＰ伝送チャネル構成を削除するように構成される。それに対応して、第１の関連情報は、ローカルユーザプレーンデータによって伝送されるＧＴＰ伝送チャネル構成削除情報であり、第２の関連情報は、第１の関連情報に対応する、第２のネットワーク要素のローカルユーザプレーンデータによって伝送されるＧＴＰ伝送チャネル構成削除確認情報である。
【００２７】
前述のソリューションでは、伝送ユニットは、第１の関連情報を第２のネットワーク要素に直接送信し、第２のネットワーク要素によって直接送信される第２の関連情報を受信するように構成される。
【００２８】
前述のソリューションでは、伝送ユニットは、ＣＵ−Ｃを通して第１の関連情報を第２のネットワーク要素に転送し、第２のネットワーク要素によって送信され、ＣＵ−Ｃによって転送される第２の関連情報を受信するように構成される。
【００２９】
本開示の実施形態はまた、ＧＴＰ伝送チャネルを構成するための装置も提供する。本装置は、第２の取得ユニットと、送信ユニットとを含む。
【００３０】
第２の取得ユニットは、コアネットワークからセッション関連情報を取得するように構成される。
【００３１】
送信ユニットは、Ｘｎインターフェースを通して、セッション関連情報を第１のネットワーク要素内のユーザプレーンデータに関わるＣＵ−Ｕに送信するように構成され、セッション関連情報は、ＧＴＰ伝送チャネル構成を実施するためにＣＵ−Ｕによって使用され、Ｘｎインターフェースは、ＣＵ−Ｕと第１のネットワーク要素内の制御プレーンデータに関わるＣＵ−Ｃとの間の相互作用に使用される。
【００３２】
前述のソリューションでは、第２の取得ユニットは、具体的には、ＮＧインターフェースを通してコアネットワークからセッション関連情報を取得するように構成され、ＮＧインターフェースは、ＣＵ−Ｃとコアネットワークとの間の相互作用に使用される。
【００３３】
前述のソリューションでは、本装置はさらに、ＣＵ−Ｕによって送信されるＣＵ−ＵのローカルＧＴＰ伝送チャネル構成の第１の関連情報を受信し、第２のネットワーク要素によって送信される第２のネットワーク要素のローカルＧＴＰ伝送チャネル構成の第２の関連情報を受信するように構成される、受信ユニットを含む。
【００３４】
送信ユニットは、第１の関連情報を第２のネットワーク要素に転送し、第２の関連情報をＣＵ−Ｕに転送するように構成される。
【００３５】
本開示の実施形態はまた、コンピュータプログラムを記憶する記憶媒体も提供し、コンピュータプログラムは、プロセッサによって実行されると、第１のネットワーク要素内のユーザプレーンデータに関わるＣＵ−Ｕにおいて上記いずれか１つの方法のステップ、または第１のネットワーク要素内の制御プレーンデータに関わるＣＵ−Ｃにおいて上記いずれか１つの方法のステップを実装する。
【００３６】
本開示の実施形態によって提供される、ＧＴＰ伝送チャネルを構成するための方法および装置ならびに記憶媒体によると、ＣＵ−Ｃは、コアネットワークからセッション関連情報を取得し、ＣＵ−Ｕは、Ｘｎインターフェースを通してセッション関連情報を取得し、Ｘｎインターフェースは、ＣＵ−ＵとＣＵ−Ｃとの間の相互作用に使用され、ＣＵ−Ｕは、セッション関連情報を使用することによって、ＧＴＰ伝送チャネル構成を実施し、ローカルＧＴＰ伝送チャネル構成の第１の関連情報を第２のネットワーク要素に伝送し、ＣＵ−Ｕは、ＣＵ−ＵとＤＵとの間のＧＴＰ伝送チャネルの構成が、Ｘｎインターフェースを通して達成されるように、第２のネットワーク要素によって伝送されるＧＴＰ伝送チャネル構成の第２の関連情報を受信する。
本願明細書は、例えば、以下の項目も提供する。
（項目１）
ＧＰＲＳトンネリングプロトコル（ＧＴＰ）伝送チャネルを構成するための方法であって、
Ｘｎインターフェースを通してセッション関連情報を取得することであって、前記Ｘｎインターフェースは、第１のネットワーク要素内のユーザプレーンデータに関わるユーザプレーン集中型ユニット（ＣＵ−Ｕ）と前記第１のネットワーク要素内の制御プレーンデータに関わる制御プレーン集中型ユニット（ＣＵ−Ｃ）との間の相互作用に使用される、ことと、
前記セッション関連情報を使用することによって、ＧＴＰ伝送チャネル構成を実施することと、
ローカルＧＴＰ伝送チャネル構成の第１の関連情報を第２のネットワーク要素に伝送することと、
前記第２のネットワーク要素によって伝送されるＧＴＰ伝送チャネル構成の第２の関連情報を受信することと
を含む、方法。
（項目２）
前記取得されたセッション関連情報は、セッション確立プロセスにおけるセッション関連情報であり、
前記セッション関連情報を使用することによって、ＧＴＰ伝送チャネル構成を実施するステップは、前記セッション関連情報を使用することによって、ユーザプレーン構成を実施することを含み、
前記第１の関連情報は、ローカルユーザプレーンデータによって伝送されるＧＴＰ伝送チャネル構成情報であり、前記第２の関連情報は、前記第１の関連情報に対応する、前記第２のネットワーク要素のローカルユーザプレーンデータによって伝送されるＧＴＰ伝送チャネル構成情報である、項目１に記載の方法。
（項目３）
前記取得されたセッション関連情報は、セッション修正プロセスにおけるセッション関連情報であり、
前記セッション関連情報を使用することによって、ＧＴＰ伝送チャネル構成を実施するステップは、前記セッション関連情報を使用することによって、ユーザプレーン構成を修正することを含み、
それに対応して、前記第１の関連情報は、ローカルユーザプレーンデータによって伝送されるＧＴＰ伝送チャネル構成修正情報であり、前記第２の関連情報は、前記第１の関連情報に対応する、前記第２のネットワーク要素のローカルユーザプレーンデータによって伝送されるＧＴＰ伝送チャネル構成修正情報である、項目１に記載の方法。
（項目４）
前記取得されたセッション関連情報は、セッション削除プロセスにおけるセッション関連情報であり、
前記セッション関連情報を使用することによって、ＧＴＰ伝送チャネル構成を実施するステップは、前記セッション関連情報を使用することによって、前記ＧＴＰ伝送チャネル構成を削除することを含み、
それに対応して、前記第１の関連情報は、ローカルユーザプレーンデータによって伝送されるＧＴＰ伝送チャネル構成削除情報であり、前記第２の関連情報は、前記第１の関連情報に対応する、前記第２のネットワーク要素のローカルユーザプレーンデータによって伝送されるＧＴＰ伝送チャネル構成削除確認情報である、項目１に記載の方法。
（項目５）
前記ローカルＧＴＰ伝送チャネル構成の第１の関連情報を第２のネットワーク要素に伝送するステップは、前記第１の関連情報を前記第２のネットワーク要素に直接送信することを含み、
それに対応して、前記第２のネットワーク要素によって伝送される前記ＧＴＰ伝送チャネル構成の第２の関連情報を受信するステップは、前記第２のネットワーク要素によって直接送信される前記第２の関連情報を受信することを含む、項目１に記載の方法。
（項目６）
前記ローカルＧＴＰ伝送チャネル構成の第１の関連情報を第２のネットワーク要素に伝送するステップは、前記ＣＵ−Ｃを通して前記第１の関連情報を前記第２のネットワーク要素に転送することを含み、
それに対応して、前記第２のネットワーク要素によって伝送される前記ＧＴＰ伝送チャネル構成の第２の関連情報を受信するステップは、前記第２のネットワーク要素によって送信され、前記ＣＵ−Ｃによって転送される前記第２の関連情報を受信することを含む、項目１に記載の方法。
（項目７）
ＧＴＰ伝送チャネルを構成するための方法であって、
コアネットワークからセッション関連情報を取得することと、
Ｘｎインターフェースを通して、前記セッション関連情報を第１のネットワーク要素内のユーザプレーンデータに関わるＣＵ−Ｕに送信することであって、前記セッション関連情報は、ＧＴＰ伝送チャネル構成を実施するために前記ＣＵ−Ｕによって使用され、前記Ｘｎインターフェースは、前記ＣＵ−Ｕと前記第１のネットワーク要素内の制御プレーンデータに関わるＣＵ−Ｃとの間の相互作用に使用される、ことと
を含む、方法。
（項目８）
コアネットワークからセッション関連情報を取得するステップは、ＮＧインターフェースを通して前記コアネットワークから前記セッション関連情報を取得することを含み、前記ＮＧインターフェースは、前記ＣＵ−Ｃと前記コアネットワークとの間の相互作用に使用される、項目７に記載の方法。
（項目９）
前記ＣＵ−Ｕによって送信される前記ＣＵ−ＵのローカルＧＴＰ伝送チャネル構成の第１の関連情報を受信し、前記第１の関連情報を第２のネットワーク要素に転送することと、
前記第２のネットワーク要素によって送信される前記第２のネットワーク要素のローカルＧＴＰ伝送チャネル構成の第２の関連情報を受信し、前記第２の関連情報を前記ＣＵ−Ｕに転送することと
をさらに含む、項目７に記載の方法。
（項目１０）
ＧＴＰ伝送チャネルを構成するための装置であって、
Ｘｎインターフェースを通してセッション関連情報を取得するように構成されている、第１の取得ユニットであって、前記Ｘｎインターフェースは、第１のネットワーク要素内のユーザプレーンデータに関わるＣＵ−Ｕと前記第１のネットワーク要素内の制御プレーンデータに関わるＣＵ−Ｃとの間の相互作用に使用される、第１の取得ユニットと、
前記セッション関連情報を使用することによって、ＧＴＰ伝送チャネル構成を実施するように構成されている、構成ユニットと、
ローカルＧＴＰ伝送チャネル構成の第１の関連情報を第２のネットワーク要素に伝送し、前記第２のネットワーク要素によって伝送されるＧＴＰ伝送チャネル構成の第２の関連情報を受信するように構成されている、伝送ユニットと
を備える、装置。
（項目１１）
前記取得されたセッション関連情報は、セッション確立プロセスにおけるセッション関連情報であり、
前記構成ユニットは、前記セッション関連情報を使用することによって、ユーザプレーン構成を実施するように構成され、
前記第１の関連情報は、ローカルユーザプレーンデータによって伝送されるＧＴＰ伝送チャネル構成情報であり、前記第２の関連情報は、前記第１の関連情報に対応する、前記第２のネットワーク要素のローカルユーザプレーンデータによって伝送されるＧＴＰ伝送チャネル構成情報である、項目１０に記載の装置。
（項目１２）
前記取得されたセッション関連情報は、セッション修正プロセスにおけるセッション関連情報であり、
前記構成ユニットは、前記セッション関連情報を使用することによって、ユーザプレーン構成を修正するように構成され、
それに対応して、前記第１の関連情報は、ローカルユーザプレーンデータによって伝送されるＧＴＰ伝送チャネル構成修正情報であり、前記第２の関連情報は、前記第１の関連情報に対応する、前記第２のネットワーク要素のローカルユーザプレーンデータによって伝送されるＧＴＰ伝送チャネル構成修正情報である、項目１０に記載の装置。
（項目１３）
前記取得されたセッション関連情報は、セッション削除プロセスにおけるセッション関連情報であり、
前記構成ユニットは、前記セッション関連情報を使用することによって、前記ＧＴＰ伝送チャネル構成を削除するように構成され、
それに対応して、前記第１の関連情報は、ローカルユーザプレーンデータによって伝送されるＧＴＰ伝送チャネル構成削除情報であり、前記第２の関連情報は、前記第１の関連情報に対応する、前記第２のネットワーク要素のローカルユーザプレーンデータによって伝送されるＧＴＰ伝送チャネル構成削除確認情報である、項目１０に記載の装置。
（項目１４）
前記伝送ユニットは、前記第１の関連情報を前記第２のネットワーク要素に直接送信し、それに対応して、前記第２のネットワーク要素によって直接送信される前記第２の関連情報を受信するように構成されている、項目１０に記載の装置。
（項目１５）
前記伝送ユニットは、前記ＣＵ−Ｃを通して前記第１の関連情報を前記第２のネットワーク要素に転送し、それに対応して、前記第２のネットワーク要素によって送信され、前記ＣＵ−Ｃによって転送される前記第２の関連情報を受信するように構成されている、項目１０に記載の装置。
（項目１６）
ＧＴＰ伝送チャネルを構成するための装置であって、
コアネットワークからセッション関連情報を取得するように構成されている、第２の取得ユニットと、
Ｘｎインターフェースを通して、前記セッション関連情報を第１のネットワーク要素内のユーザプレーンデータに関わるＣＵ−Ｕに送信するように構成されている、送信ユニットであって、前記セッション関連情報は、ＧＴＰ伝送チャネル構成を実施するために前記ＣＵ−Ｕによって使用され、前記Ｘｎインターフェースは、前記ＣＵ−Ｕと前記第１のネットワーク要素内の制御プレーンデータに関わるＣＵ−Ｃとの間の相互作用に使用される、送信ユニットと
を備える、装置。
（項目１７）
前記第２の取得ユニットは、ＮＧインターフェースを通して前記コアネットワークから前記セッション関連情報を取得するように構成され、前記ＮＧインターフェースは、前記ＣＵ−Ｃと前記コアネットワークとの間の相互作用に使用される、項目１６に記載の装置。
（項目１８）
前記ＣＵ−Ｕによって送信される前記ＣＵ−ＵのローカルＧＴＰ伝送チャネル構成の第１の関連情報を受信し、前記第２のネットワーク要素によって送信される第２のネットワーク要素のローカルＧＴＰ伝送チャネル構成の第２の関連情報を受信するように構成されている、受信ユニットをさらに備え、
前記送信ユニットは、前記第１の関連情報を第２のネットワーク要素に転送し、前記第２の関連情報を前記ＣＵ−Ｕに転送するように構成されている、項目１６に記載の装置。
（項目１９）
コンピュータプログラムを記憶する記憶媒体であって、前記コンピュータプログラムは、プロセッサによって実行されると、項目１−６のうちのいずれか１項に記載の方法のステップまたは項目７−９のうちのいずれか１項に記載の方法のステップを実装する、記憶媒体。
【００３７】
必ずしも一定の縮尺ではない図面では、類似参照番号が、異なる図で類似部品を説明し得る。図面は、概して、限定の代わりに一例として、本明細書で議論される種々の実施形態を図示する。
【図面の簡単な説明】
【００３８】
【図１】図１は、本開示のある実施形態による、第１のネットワーク要素と第２のネットワーク要素との間のフロントホールインターフェースの概略図である。
【図２】図２は、本開示のある実施形態による、第１のネットワーク要素と第２のネットワーク要素との間の可能性として考えられる機能分割の概略図である。
【図３】図３は、本開示のある実施形態による、第１のネットワーク要素の制御プレーンデータおよびユーザプレーンデータの分割を示す、概略図である。
【図４】図４は、本開示の実施形態１による、ＣＵ−ＵのためのＧＴＰ伝送チャネルを構成するための方法の概略フローチャートである。
【図５】図５は、本開示の実施形態１による、ＣＵ−ＣのためのＧＴＰ伝送チャネルを構成するための方法の概略フローチャートである。
【図６】図６は、本開示の実施形態１による、ＧＴＰ伝送チャネルを構成するための方法の概略フローチャートである。
【図７】図７は、本開示の実施形態２による、ＧＴＰ伝送チャネルを構成するための方法の概略フローチャートである。
【図８】図８は、本開示の実施形態３による、ＧＴＰ伝送チャネルを構成するための方法の概略フローチャートである。
【図９】図９は、本開示の実施形態４による、ＧＴＰ伝送チャネルを構成するための方法の概略フローチャートである。
【図１０】図１０は、本開示の実施形態５による、ＧＴＰ伝送チャネルを構成するための方法の概略フローチャートである。
【図１１】図１１は、本開示の実施形態６による、ＧＴＰ伝送チャネルを構成するための方法の概略フローチャートである。
【図１２】図１２は、本開示の実施形態７による、ＧＴＰ伝送チャネルを構成するための方法の概略フローチャートである。
【図１３】図１３は、本開示の実施形態８による、ＣＵ−Ｕに配置されるＧＴＰ伝送チャネルを構成するための装置の概略構造図である。
【図１４】図１４は、本開示の実施形態８による、ＣＵ−Ｃに配置されるＧＴＰ伝送チャネルを構成するための装置の概略構造図である。
【図１５】図１５は、本開示の実施形態８による、ＧＴＰ伝送チャネルを構成するためのシステムの概略構造図である。
【図１６】図１６は、本開示のある実施形態による、ソリューションの適用シナリオの概略図である。
【発明を実施するための形態】
【００３９】
（詳細な説明）
本開示は、付随する図面および実施形態を参照して、下記で詳細にさらに説明されるであろう。
【００４０】
５Ｇシステム内の第１のネットワーク要素と第２のネットワーク要素との間の相互作用が、本開示の実施形態を説明することに先立って、最初に把握される。
【００４１】
第１のネットワーク要素および第２のネットワーク要素に関して、基地局の機能は、事実上分割され、第１のネットワーク要素および第２のネットワーク要素によって実施される。すなわち、第１のネットワーク要素は、基地局の機能の一部を実装する論理ノードであり、第２のネットワーク要素は、第１のネットワーク要素によって実装されるものを除く他の機能を実装する論理ノードであり、第１のネットワーク要素は、第２のネットワーク要素を制御することができる。
【００４２】
図１に示されるように、情報が、フロントホールインターフェースを通して第１のネットワーク要素と第２のネットワーク要素との間で交換される。異なる遅延要件に関して、フロントホールインターフェースは、理想的フロントホールインターフェースまたは非理想的フロントホールインターフェースであってもよい。理想的フロントホールインターフェースの伝送遅延は、約数十〜数百マイクロ秒等、比較的に小さく、非理想的フロントホールインターフェースの伝送遅延は、数ミリ秒等、比較的に大きく、理想的フロントホールインターフェースと非理想的フロントホールインターフェースとの間の区別に起因して、第１のネットワーク要素および第２のネットワーク要素は、異なる機能分割を有する。
【００４３】
図２は、第１のネットワーク要素と第２のネットワーク要素との間の可能性として考えられる機能分割を図示する、略図である。具体的な可能性として考えられる機能分割ソリューションは、以下の通りである。
１．オプション１（ＲＲＣ／ＰＤＣＰ分割）：
本機能分割オプションでは、ＲＲＣは、ＣＵ（すなわち、第１のネットワーク要素）の中に位置し、ＰＤＣＰ、ＲＬＣ、ＭＡＣ、ＰＨＹ、およびＲＦ等の機能は全て、ＤＵ（すなわち、第２のネットワーク要素）の中に位置する。すなわち、上側（ＵＰ）機能全体が、ＤＵの中に位置する。
２．オプション２（ＰＤＣＰ／ＲＬＣ分割）：
本機能分割オプションでは、ＲＲＣおよびＰＤＣＰは、ＣＵの中に位置し、ＲＬＣ、ＭＡＣ、ＰＨＹ、およびＲＦ等の機能は全て、ＤＵの中に位置する。
３．オプション３（高ＲＬＣ／低ＲＬＣ分割）：
本機能分割オプションでは、下位層ＲＬＣ（ＲＬＣの機能の一部）、ＭＡＣ、ＰＨＹ、およびＲＦの一部は、ＤＵの中に位置し、ＰＤＣＰおよび上位層ＲＬＣ（ＲＬＣの機能の一部）等の機能は、ＣＵの中に位置する。
４．オプション４（ＲＬＣ−ＭＡＣ分割）：
本機能分割オプションでは、ＭＡＣ、ＰＨＹ、およびＲＦの一部は、ＤＵの中に位置し、ＰＤＣＰおよびＲＬＣ等の機能は全て、ＣＵの中に位置する。
５．オプション５（ＭＡＣ内分割）：
本機能分割オプションでは、ＭＡＣの機能の一部（ハイブリッド自動反復要求（ＨＡＲＱ）等）、ＰＨＹ、およびＲＦの一部は、ＤＵの中に位置し、他のＵＰ機能は、ＣＵの中に位置する。
６．オプション６（ＭＡＣ−ＰＨＹ分割）：
本機能分割オプションでは、ＭＡＣ、ＰＨＹ、およびＲＦの一部は、ＤＵの中に位置し、ＰＤＣＰおよびＲＬＣ等の機能は全て、ＣＵの中に位置する。
７．オプション７（ＰＨＹ内分割）：
本機能分割オプションでは、ＭＡＣの機能の一部（ＨＡＲＱ等）、ＰＨＹ、およびＲＦの一部は、ＤＵの中に位置し、他のＵＰ機能は、ＣＵの中に位置する。
８．オプション８（ＰＨＹ−ＲＦ分割）：
本機能分割オプションでは、ＲＦの一部は、ＤＵの中に位置し、他のＵＰ機能は全て、ＣＵの中に位置する。
【００４４】
図３は、第１のネットワーク要素のユーザプレーンデータおよび制御プレーンデータの分割を示す、概略図である。図３に示されるように、ユーザプレーンおよび制御プレーンの２つのＰＤＣＰはそれぞれ、２つの異なるＣＵの中に位置する。説明のために、２つのＣＵは、それぞれ、ＣＵ−ＵおよびＣＵ−Ｃと称され、それによって、ユーザプレーンデータおよび制御プレーンデータの分割を実現する。Ｘｎインターフェースが、ＣＵ−ＣとＣＵ−Ｕとの間に存在する。転送インターフェースＮＧｘが、ＣＵとＤＵとの間に存在する。ＣＵ−ＣとＤＵとの間のインターフェースは、ＮＧｘ−Ｃと呼ばれ、ＣＵ−ＵとＤＵとの間のインターフェースは、ＮＧｘ−Ｕと呼ばれる。
【００４５】
本開示の種々の実施形態では、ＣＵ−Ｕによって、Ｘｎインターフェースを通してセッション関連情報を取得し、Ｘｎインターフェースは、ＣＵ−Ｕと第１のネットワーク要素内の制御プレーンデータに関わる制御プレーン集中型ユニット（ＣＵ−Ｃ）との間のインターフェースであり、セッション関連情報を使用することによって、ＧＴＰ伝送チャネル構成を実施し、ローカルＧＴＰ伝送チャネル構成の第１の関連情報を第２のネットワーク要素に伝送し、ＧＴＰ伝送チャネル構成を完成させるように、第２のネットワーク要素によって伝送されるＧＴＰ伝送チャネル構成の第２の関連情報を受信する。
【００４６】
（実施形態１）
本開示の実施形態は、第１のネットワーク要素内のユーザプレーンデータに関わるＣＵ−Ｕに適用される、ＧＴＰ伝送チャネルを構成するための方法を提供する。図４に示されるように、本方法は、以下を含む。
【００４７】
ステップ４０１では、セッション関連情報が、Ｘｎインターフェースを通して取得される。
【００４８】
ここで、Ｘｎインターフェースは、ＣＵ−Ｕと第１のネットワーク要素内の制御プレーンデータに関わるＣＵ−Ｃとの間のインターフェースである。すなわち、Ｘｎインターフェースは、ＣＵ−ＵとＣＵ−Ｃとの間の相互作用に使用される。
【００４９】
換言すると、ＣＵ−Ｕは、Ｘｎインターフェースを通してＣＵ−Ｃからセッション関連情報を取得する。
【００５０】
具体的には、ＣＵ−Ｃによって送信されるセッション関連情報は、Ｘｎインターフェースによって受信される。
【００５１】
セッション関連情報の具体的コンテンツは、異なる適用シナリオに従って、わずかに異なる。
【００５２】
具体的には、セッション関連情報がセッション確立プロセスにおけるセッション関連情報であるとき、セッション関連情報は、ＧＴＰチャネル情報と、現在のプロトコルデータユニット（ＰＤＵ）セッションを確立するために要求されるＰＤＵセッション情報とを含む。
【００５３】
セッション関連情報がセッション修正プロセスにおけるセッション関連情報であるとき、セッション関連情報は、ＧＴＰチャネル情報と、現在のＰＤＵセッションを修正するために要求されるＰＤＵセッション情報とを含む。
【００５４】
セッション関連情報がセッション削除プロセスにおけるセッション関連情報であるとき、セッション関連情報は、現在のＰＤＵセッションを削除するために要求される情報を含む。
【００５５】
ステップ４０２では、ＧＴＰ伝送チャネル構成が、セッション関連情報を使用することによって実施される。
【００５６】
具体的には、取得されたセッション関連情報がセッション確立プロセスにおけるセッション関連情報であるとき、ユーザプレーン構成は、セッション関連情報を使用することによって実施される。
【００５７】
取得されたセッション関連情報がセッション修正プロセスにおけるセッション関連情報であるとき、セッション関連情報は、ユーザプレーン構成を修正するために使用される。
【００５８】
取得されたセッション関連情報がセッション削除プロセスにおけるセッション関連情報であるとき、ＧＴＰ伝送チャネル構成は、セッション関連情報を使用することによって削除される。
【００５９】
ステップ４０３では、ローカルＧＴＰ伝送チャネル構成の第１の関連情報が、第２のネットワーク要素に伝送される。
【００６０】
ステップ４０４では、第２のネットワーク要素によって伝送されるＧＴＰ伝送チャネル構成の第２の関連情報が、受信される。
【００６１】
ここで、取得されたセッション関連情報がセッション確立プロセスにおけるセッション関連情報であるとき、第１の関連情報は、ローカルユーザプレーンデータによって伝送されるＧＴＰ伝送チャネル構成情報であり、第２の関連情報は、第１の関連情報に対応する、第２のネットワーク要素のローカルユーザプレーンデータによって伝送されるＧＴＰ伝送チャネル構成情報である。
【００６２】
取得されたセッション関連情報がセッション修正プロセスにおけるセッション関連情報であるとき、第１の関連情報は、ローカルユーザプレーンデータによって伝送されるＧＴＰ伝送チャネル構成修正情報であり、第２の関連情報は、第１の関連情報に対応する、第２のネットワーク要素のローカルユーザプレーンデータによって伝送されるＧＴＰ伝送チャネル構成修正情報である。
【００６３】
取得されたセッション関連情報がセッション削除プロセスにおけるセッション関連情報であるとき、第１の関連情報は、ローカルユーザプレーンデータによって伝送されるＧＴＰ伝送チャネル構成削除情報であり、第２の関連情報は、第１の関連情報に対応する、第２のネットワーク要素のローカルユーザプレーンデータによって伝送されるＧＴＰ伝送チャネル構成削除確認情報である。
【００６４】
実践用途では、ＣＵ−ＵとＤＵとの間のＧＴＰ伝送チャネルの構成のための２つの実装モードがあり、一方のモードは、ＣＵ−ＵおよびＤＵがそれら自体でＧＴＰ伝送チャネルを構成することであり、他方のモードは、ＣＵ−ＣがＧＴＰ伝送チャネルを構成する際にＣＵ−ＵおよびＤＵを支援することである。
【００６５】
第１のモードでは、ステップ４０３の具体的実装は、ＣＵ−Ｕによって、第１の関連情報を第２のネットワーク要素に直接送信することを含む。
【００６６】
故に、ステップ４０４の具体的実装は、ＣＵ−Ｕによって、第２のネットワーク要素によって直接送信される第２の関連情報を受信することを含む。
【００６７】
第２のモードでは、ステップ４０３の具体的実装は、ＣＵ−Ｕによって、ＣＵ−Ｃを通して第１の関連情報を第２のネットワーク要素に転送することを含む。
【００６８】
故に、ステップ４０４の具体的実装は、ＣＵ−Ｕによって、第２のネットワーク要素によって送信され、ＣＵ−Ｃによって転送される第２の関連情報を受信することを含む。
【００６９】
故に、本開示の実施形態はまた、ＣＵ−Ｃに適用される、ＧＴＰ伝送チャネルを構成するための方法も提供する。図５に示されるように、本方法は、以下を含む。
【００７０】
ステップ５０１では、セッション関連情報が、コアネットワークから取得される。
【００７１】
具体的には、ＣＵ−Ｃは、ＮＧインターフェースを通してＮＧインターフェースからセッション関連情報を取得する。
【００７２】
ＮＧインターフェースは、コアネットワークとＣＵ−Ｃとの間のインターフェースであり、すなわち、ＮＧインターフェースは、コアネットワークとＣＵ−Ｃとの間の相互作用に使用される。
【００７３】
ステップ５０２では、セッション関連情報が、Ｘｎインターフェースを通して、第１のネットワーク要素内のユーザプレーンデータに関わるＣＵ−Ｕに送信される。
【００７４】
ここで、セッション関連情報は、ＧＴＰ伝送チャネルを構成するためにＣＵ−Ｕによって使用され、すなわち、ステップ４０２−４０４が、実行される。
【００７５】
ＣＵ−ＣがＧＴＰ伝送チャネルを構成する際にＣＵ−ＵおよびＤＵを支援するプロセスでは、ＣＵ−Ｃは、メッセージの転送に参加するように要求される。
【００７６】
これに基づいて、実施形態では、本方法はまた、ＣＵ−Ｃによって、ＣＵ−Ｕによって送信されるＣＵ−ＵのローカルＧＴＰ伝送チャネル構成の第１の関連情報を受信し、第１の関連情報を第２のネットワーク要素に転送することと、ＣＵ−Ｃによって、第２のネットワーク要素によって送信される第２のネットワーク要素のローカルＧＴＰ伝送チャネル構成の第２の関連情報を受信し、第２の関連情報をＣＵ−Ｕに転送することとを含んでもよい。
【００７７】
本開示の実施形態はまた、ＧＴＰ伝送チャネルを構成するための方法も提供する。図６に示されるように、本方法は、以下を含む。
【００７８】
ステップ６０１では、ＣＵ−Ｃが、コアネットワークからセッション関連情報を取得する。
【００７９】
ステップ６０２では、ＣＵ−Ｃが、Ｘｎインターフェースを通して、セッション関連情報を第１のネットワーク要素内のユーザプレーンデータに関わるＣＵ−Ｕに送信する。
【００８０】
ステップ６０３では、ＣＵ−Ｕが、セッション関連情報を使用することによって、ＧＴＰ伝送チャネル構成を実施する。
【００８１】
ステップ６０４では、ＣＵ−Ｕが、ローカルＧＴＰ伝送チャネル構成の第１の関連情報を第２のネットワーク要素に伝送する。
【００８２】
ステップ６０５では、ＣＵ−Ｕが、第２のネットワーク要素によって伝送されるＧＴＰ伝送チャネル構成の第２の関連情報を受信する。
【００８３】
ここで、ＣＵ−ＵおよびＣＵ−Ｃの具体的処理プロシージャが上記で詳細に説明され、詳細が本明細書に説明されないことに留意されたい。
【００８４】
第１のネットワーク要素および第２のネットワーク要素の機能は、前述の説明を参照することによって、理解され得る。
【００８５】
本開示の実施形態によって提供されるＧＴＰ伝送チャネルを構成するための方法によると、ＣＵ−Ｃは、コアネットワークからセッション関連情報を取得し、ＣＵ−Ｕは、Ｘｎインターフェースを通してセッション関連情報を取得し、Ｘｎインターフェースは、ＣＵ−ＵとＣＵ−Ｃとの間の相互作用に使用され、ＣＵ−Ｕは、セッション関連情報を使用することによって、ＧＴＰ伝送チャネル構成を実施し、ローカルＧＴＰ伝送チャネル構成の第１の関連情報を第２のネットワーク要素に伝送し、ＣＵ−Ｕは、ＣＵ−ＵとＤＵとの間のＮＧ−Ｕインターフェース上のＧＴＰ伝送チャネルの構成が、Ｘｎインターフェースを通して達成されるように、第２のネットワーク要素によって伝送されるＧＴＰ伝送チャネル構成の第２の関連情報を受信し、それによって、制御シグナリングおよびユーザデータの分割を実装し、独立ユーザプレーンデータ伝送機能をサポートする一方で、集中型ＲＲＣ／無線リソース管理（ＲＲＭ）機能を有する。
【００８６】
（実施形態２）
実施形態１に基づいて、本実施形態は、ＰＤＵセッションが確立されるときに、ＣＵ−ＵおよびＤＵがＧＴＰ伝送チャネルを構成する、プロセスを説明する。図７に示されるように、本プロセスは、以下を含む。
【００８７】
ステップ７０１では、次世代コア（ＮＧＣ）が、ＰＤＵセッション確立要求をＣＵ−Ｃに送信する。
【００８８】
ここで、ＰＤＵセッション確立要求は、ＰＤＵセッション関連情報を搬送する。すなわち、ＣＵ−Ｃは、ＮＧインターフェースのＰＤＵセッション確立プロシージャを通して、ＮＧＣからＰＤＵセッション関連情報を取得する。
【００８９】
関連情報は、ＧＴＰチャネル情報と、現在のＰＤＵセッションを確立するために要求されるＰＤＵセッション情報とを含む。
【００９０】
具体的には、関連情報は、限定ではないが、以下の情報：コアネットワークＵＰゲートウェイ（ＧＷ）のトランスポート層アドレス情報（ユーザプレーントランスポート層がＧＴＰ−Ｕプロトコルを採用する場合、トランスポート層ＩＰアドレス情報およびＧＴＰトンネルエンドポイント識別子（ＴＥＩＤ）が含まれる）、セッションＩＤ、単一のセッション内の１つ以上のフローＩＤ、フローに対応する非ＧＢＲサービスのＱｏＳ関連情報、およびフローに対応するＧＢＲサービスのＱｏＳ関連情報のうちの１つ以上を含む。
【００９１】
さらに、フローレベルのＧＴＰチャネルが確立されることを可能にされる場合、現在のＰＤＵセッション内の全てのフローに対応するコアネットワークＵＰ  ＧＷのトランスポート層アドレス情報が含まれる（ユーザプレーントランスポート層がＧＴＰ−Ｕプロトコルを採用する場合、トランスポート層ＩＰアドレス情報およびＧＴＰ  ＴＥＩＤが含まれる）。
【００９２】
ステップ７０２では、要求を受信した後、ＣＵ−Ｃが、ＰＤＵセッション確立要求をＣＵ−Ｕに送信する。
【００９３】
ここで、送信されたＰＤＵセッション確立要求は、ＰＤＵセッション関連情報を搬送する。すなわち、ＣＵ−Ｃは、Ｘｎインターフェースを通して、ステップ１で取得されるＰＤＵセッション関連情報をＣＵ−Ｕに伝送する。
【００９４】
ステップ７０３では、要求を受信した後、ＣＵ−Ｕが、ＧＴＰチャネル構成情報をＤＵに送信する。
【００９５】
具体的には、ＣＵ−ＣからＰＤＵセッション関連情報を受信した後、ＣＵ−Ｕは、ユーザプレーン構成を実施し、インターフェースメッセージを通して、ローカルユーザプレーンデータによって伝送されるＧＴＰチャネル構成情報をＤＵに送信する。
【００９６】
送信されたＧＴＰチャネル構成情報は、限定ではないが、ＣＵ−Ｕのトランスポート層アドレス情報を含む（ユーザプレーントランスポート層がＧＴＰ−Ｕプロトコルを採用する場合、トランスポート層ＩＰアドレス情報およびＧＴＰ  ＴＥＩＤが含まれる）。
【００９７】
実際の適用では、ＣＵ−ＵとＤＵとの間の相互作用は、ＮＧｘ  ＡＰメッセージまたはＧＴＰメッセージを通して実装されてもよい。
【００９８】
ステップ７０４では、ＣＵ−Ｕによって送信されるＧＴＰチャネル構成情報を受信した後、ＤＵは、応答メッセージを通して、そのＧＴＰチャネル構成情報をＣＵ−Ｕにフィードバックする。
【００９９】
ここで、フィードバックされたＧＴＰチャネル構成情報は、限定ではないが、ＤＵのトランスポート層アドレス情報を含む（ユーザプレーントランスポート層がＧＴＰ−Ｕプロトコルを採用する場合、トランスポート層ＩＰアドレス情報およびＧＴＰ  ＴＥＩＤが含まれる）。
【０１００】
ステップ７０５では、ＤＵのＧＴＰチャネル構成情報を受信した後、ＣＵ−Ｕは、ＧＴＰチャネル構成が成功したというＰＤＵセッション情報をＣＵ−Ｃにフィードバックする。
【０１０１】
ここで、ＣＵ−ＵがＤＵのＧＴＰチャネル構成情報を受信する場合、ＣＵ−ＵとＤＵとの間のＧＴＰチャネル構成が成功したことが示される。
【０１０２】
ＤＵのＧＴＰチャネル構成情報が受信されない場合、ＣＵ−ＵとＤＵとの間のＧＴＰチャネル構成が失敗したことが示される。
【０１０３】
フィードバックされたＰＤＵセッション情報は、限定ではないが、以下の情報：ＣＵ−Ｕのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、およびユーザプレーン構成が単一のセッション内で成功する１つ以上のフローＩＤのうちの１つ以上を含む。
【０１０４】
ＣＵ−ＵとＤＵとの間のＧＴＰチャネル構成が失敗するとき、フィードバックされたＰＤＵセッション情報は、随意に、ユーザプレーン構成が失敗する１つ以上のフローＩＤ、および対応する失敗理由を含む。
【０１０５】
ステップ７０６では、ＣＵ−Ｃが、ＮＧインターフェースを通して、ＰＤＵセッション確立成功メッセージをＮＧＣに送信し、ＧＴＰチャネル構成が成功したというＰＤＵセッション情報をＮＧＣにフィードバックする。
【０１０６】
ここで、ＮＧＣにフィードバックされるＰＤＵセッション情報は、限定ではないが、以下の情報：ＣＵ−Ｕのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、およびユーザプレーン構成が単一のセッション内で成功する１つ以上のフローＩＤのうちの１つ以上を含む。
【０１０７】
ＣＵ−ＵとＤＵとの間のＧＴＰチャネル構成が失敗するとき、ＮＧＣにフィードバックされるＰＤＵセッション情報は、随意に、ユーザプレーン構成が失敗する１つ以上のフローＩＤ、および対応する失敗理由を含む。
【０１０８】
（実施形態３）
実施形態１に基づいて、本実施形態は、ＰＤＵセッションが修正されるときに、ＣＵ−ＵおよびＤＵがＧＴＰ伝送チャネルを構成する、プロセスを説明する。図８に示されるように、本プロセスは、以下を含む。
【０１０９】
ステップ８０１では、ＮＧＣが、ＰＤＵセッション修正要求をＣＵ−Ｃに送信する。
【０１１０】
ここで、ＰＤＵセッション修正要求は、ＰＤＵセッション修正関連情報を搬送する。すなわち、ＣＵ−Ｃは、ＮＧインターフェースのＰＤＵセッション修正プロシージャを通して、ＮＧＣからＰＤＵセッション修正関連情報を取得する。
【０１１１】
関連情報は、ＧＴＰチャネル情報と、現在のＰＤＵセッションを修正するために要求されるＰＤＵセッション情報とを含む。
【０１１２】
具体的には、関連情報は、限定ではないが、以下の情報：コアネットワークＵＰ  ＧＷのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、単一のセッション内で追加される１つ以上のフローＩＤ、フローに対応する非ＧＢＲサービスのＱｏＳ関連情報、フローに対応するＧＢＲサービスのＱｏＳ関連情報、単一のセッション内で修正される１つ以上のフローＩＤ、フローに対応する非ＧＢＲサービスのＱｏＳ関連情報、フローに対応するＧＢＲサービスのＱｏＳ関連情報、および単一のセッション内で削除される１つ以上のフローＩＤのうちの１つ以上を含む。
【０１１３】
ステップ８０２では、要求を受信した後、ＣＵ−Ｃが、ＰＤＵセッション修正要求をＣＵ−Ｕに送信する。
【０１１４】
ここで、送信されたＰＤＵセッション修正要求は、修正されたＰＤＵセッション関連情報を搬送する。すなわち、ＣＵ−Ｃは、ＸｎインターフェースのＰＤＵセッション修正プロシージャを通して、修正されたＰＤＵセッション関連情報をＣＵ−Ｕに伝送する。
【０１１５】
伝送されたＰＤＵセッション関連情報は、ＧＴＰチャネル情報と、現在のＰＤＵセッションを修正するために要求されるＰＤＵセッション情報とを含む。
【０１１６】
ステップ８０３では、要求を受信した後、ＣＵ−Ｕが、ＧＴＰチャネル修正情報をＤＵに送信する。
【０１１７】
具体的には、ＣＵ−Ｃから修正されたＰＤＵセッション関連情報を受信した後、ＣＵ−Ｕは、ユーザプレーン構成に修正（追加、修正、または削除等）を実施し、インターフェースメッセージを通して、ユーザプレーン伝送のための修正されたローカルＧＴＰチャネル構成修正情報をＤＵに送信する。
【０１１８】
送信されたＧＴＰチャネル構成修正情報は、限定ではないが、ＣＵ−Ｕのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）を含む。
【０１１９】
実際の適用では、ＣＵ−ＵとＤＵとの間の相互作用は、ＮＧｘ  ＡＰメッセージまたはＧＴＰメッセージを通して実装されてもよい。
【０１２０】
ステップ８０４では、ＣＵ−Ｕによって送信されるＧＴＰチャネル構成修正情報を受信した後、ＤＵが、応答メッセージを通して、そのＧＴＰチャネル構成修正情報をＣＵ−Ｕにフィードバックする。
【０１２１】
ここで、フィードバックされたＧＴＰチャネル構成修正情報は、限定ではないが、ＤＵのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）を含む。
【０１２２】
ステップ８０５では、ＤＵのＧＴＰチャネル構成修正情報を受信した後、ＣＵ−Ｕは、ＧＴＰチャネル構成修正が成功したというＰＤＵセッション情報をＣＵ−Ｃにフィードバックする。
【０１２３】
ここで、ＣＵ−ＵがＤＵのＧＴＰチャネル構成修正情報を受信する場合、ＣＵ−ＵとＤＵとの間のＧＴＰチャネル構成修正が成功したことが示され、ＣＵ−Ｕは、ＧＴＰチャネル構成修正が成功したというＰＤＵセッション情報をＣＵ−Ｃにフィードバックする。
【０１２４】
フィードバックされたＰＤＵセッション情報は、限定ではないが、以下の情報：ＣＵ−Ｕのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、および単一のセッション内のユーザプレーン構成修正のための１つ以上のフローＩＤのうちの１つ以上を含む。
【０１２５】
ＣＵ−ＵとＤＵとの間のＧＴＰチャネル構成修正が失敗するとき、フィードバックされたＰＤＵセッション情報は、随意に、ユーザプレーン構成修正が失敗する１つ以上のフローＩＤ、および対応する失敗理由を含む。
【０１２６】
ステップ８０６では、ＣＵ−Ｃが、ＮＧインターフェースを通して、ＰＤＵセッション修正成功メッセージをＮＧＣに送信し、ＧＴＰチャネル構成修正が成功したというＰＤＵセッション情報をＮＧＣにフィードバックする。
【０１２７】
ここで、ＮＧＣにフィードバックされるＰＤＵセッション情報は、限定ではないが、以下の情報：ＣＵ−Ｕのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、およびユーザプレーン構成が単一のセッション内で成功する１つ以上のフローＩＤのうちの１つ以上を含む。
【０１２８】
ＣＵ−ＵとＤＵとの間のＧＴＰチャネル構成修正が失敗するとき、ＮＧＣにフィードバックされるＰＤＵセッション情報は、随意に、ユーザプレーン構成が失敗する１つ以上のフローＩＤ、および対応する失敗理由を含む。
【０１２９】
（実施形態４）
実施形態１に基づいて、本実施形態は、ＰＤＵセッションが削除されるときに、ＣＵ−ＵおよびＤＵがＧＴＰ伝送チャネルを構成する、プロセスを説明する。図９に示されるように、本プロセスは、以下を含む。
【０１３０】
ステップ９０１では、ＮＧＣが、ＰＤＵセッション削除要求をＣＵ−Ｃに送信する。
【０１３１】
ここで、ＰＤＵセッション削除要求は、ＰＤＵセッション関連情報を搬送する。すなわち、ＣＵ−Ｃは、ＮＧインターフェースのＰＤＵセッション削除プロシージャを通して、ＮＧＣからＰＤＵセッション関連情報を取得する。
【０１３２】
関連情報は、ＰＤＵセッションを削除するために要求される情報を含む。
【０１３３】
具体的には、関連情報は、限定ではないが、以下の情報：コアネットワークＵＰ  ＧＷのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、およびセッション削除の理由のうちの１つ以上を含む。
【０１３４】
ステップ９０２では、要求を受信した後、ＣＵ−Ｃが、ＰＤＵセッション削除要求をＣＵ−Ｕに送信する。
【０１３５】
ここで、送信されたＰＤＵセッション削除要求は、ＰＤＵセッションを削除するために要求される情報を搬送する。すなわち、ＣＵ−Ｃは、ＸｎインターフェースのＰＤＵセッション削除プロシージャを通して、ＰＤＵセッションを削除するために要求される情報をＣＵ−Ｕに伝送する。
【０１３６】
ＰＤＵセッションを削除するために要求される伝送された情報は、限定ではないが、以下の情報：コアネットワークＵＰ  ＧＷのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、およびセッション削除の理由のうちの１つ以上を含む。
【０１３７】
ステップ９０３では、要求が受信された後、ＧＴＰチャネル構成削除情報が、ＤＵに送信される。
【０１３８】
具体的には、ＰＤＵセッションを削除することの関連情報を受信した後、ＣＵ−Ｕは、対応するローカルＧＴＰチャネル構成情報を削除し、ＧＴＰチャネル構成削除情報をＤＵに送信する。
【０１３９】
ステップ９０４では、ＣＵ−Ｕによって送信されるＧＴＰチャネル構成削除情報を受信した後、ＤＵが、ローカルＧＴＰチャネル構成情報を削除し、応答メッセージを通して、ＧＴＰチャネル削除確認メッセージをＣＵ−Ｕに送信する。
【０１４０】
ステップ９０５では、ＤＵからＧＴＰチャネル削除確認メッセージを受信した後、ＣＵ−Ｕが、ＰＤＵセッション削除成功メッセージをＣＵ−Ｃに送信する。
【０１４１】
ここで、送信されたメッセージは、限定ではないが、ＣＵ−Ｕのトランスポート層アドレス情報を含む（ユーザプレーントランスポート層がＧＴＰ−Ｕプロトコルを採用する場合、トランスポート層ＩＰアドレス情報およびＧＴＰ  ＴＥＩＤが含まれる）。
【０１４２】
ステップ９０６では、ＣＵ−Ｕによって送信されるＰＤＵセッション削除成功メッセージを受信した後、ＣＵ−Ｃは、ＮＧインターフェースを通して、ＰＤＵセッション削除確認メッセージをＮＧＣに送信する。
【０１４３】
（実施形態５）
実施形態１に基づいて、本実施形態は、ＰＤＵセッションが確立されるときに、ＣＵ−ＣがＧＴＰ伝送チャネルを構成する際にＣＵ−ＵおよびＤＵを支援する、プロセスを説明する。図１０に示されるように、本プロセスは、以下を含む。
【０１４４】
ステップ１００１では、ＮＧＣが、ＰＤＵセッション確立要求をＣＵ−Ｃに送信する。
【０１４５】
ここで、ＰＤＵセッション確立要求は、ＰＤＵセッション関連情報を搬送する。すなわち、ＣＵ−Ｃは、ＮＧインターフェースのＰＤＵセッション確立プロシージャを通して、ＮＧＣからＰＤＵセッション関連情報を取得する。
【０１４６】
関連情報は、ＧＴＰチャネル情報と、現在のＰＤＵセッションを確立するために要求されるＰＤＵセッション情報とを含む。
【０１４７】
具体的には、関連情報は、限定ではないが、以下の情報：コアネットワークＵＰ  ＧＷのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、単一のセッション内の１つ以上のフローＩＤ、フローに対応する非ＧＢＲサービスのＱｏＳ関連情報、およびフローに対応するＧＢＲサービスのＱｏＳ関連情報のうちの１つ以上を含む。
【０１４８】
さらに、フローレベルのＧＴＰチャネルが確立されることを可能にされる場合、現在のＰＤＵセッション内の全てのフローに対応するコアネットワークＵＰ  ＧＷのトランスポート層アドレス情報が含まれる（ユーザプレーントランスポート層がＧＴＰ−Ｕプロトコルを採用する場合、トランスポート層ＩＰアドレス情報およびＧＴＰ  ＴＥＩＤが含まれる）。
【０１４９】
ステップ１００２では、要求を受信した後、ＣＵ−Ｃが、ＰＤＵセッション確立要求をＣＵ−Ｕに送信する。
【０１５０】
ここで、送信されたＰＤＵセッション確立要求は、ＰＤＵセッション関連情報を搬送する。すなわち、ＣＵ−Ｃは、Ｘｎインターフェースを通して、ステップ１００１で取得されるＰＤＵセッション関連情報をＣＵ−Ｕに伝送する。
【０１５１】
ステップ１００３では、要求を受信した後、ＣＵ−Ｕが、ＧＴＰチャネル構成情報をＣＵ−Ｃに送信する。
【０１５２】
具体的には、ＣＵ−Ｕは、受信されたＸｎインターフェースメッセージに従ってローカルユーザプレーン構成を完成させ、応答メッセージを通して、ローカルで配分されたＧＴＰチャネル構成情報をＣＵ−Ｃに送信する。
【０１５３】
送信されたＧＴＰチャネル構成情報は、限定ではないが、ＣＵ−Ｕのトランスポート層アドレス情報を含む（ユーザプレーントランスポート層がＧＴＰ−Ｕプロトコルを採用する場合、トランスポート層ＩＰアドレス情報およびＧＴＰ  ＴＥＩＤが含まれる）。
【０１５４】
ステップ１００４では、ＣＵ−ＵからＧＴＰチャネル構成情報を受信した後、ＣＵ−Ｃが、構成情報をＤＵに送信する。
【０１５５】
ここで、送信されたＧＴＰチャネル構成情報は、限定ではないが、ＣＵ−Ｕのトランスポート層アドレス情報を含む（ユーザプレーントランスポート層がＧＴＰ−Ｕプロトコルを採用する場合、トランスポート層ＩＰアドレス情報およびＧＴＰ  ＴＥＩＤが含まれる）。
【０１５６】
ステップ１００５では、ＣＵ−Ｃによって転送されるＣＵ−ＵについてのＧＴＰチャネル構成情報を受信した後、ＤＵは、そのＧＴＰチャネル構成情報をＣＵ−Ｃにフィードバックする。
【０１５７】
ここで、ＣＵ−ＣにフィードバックされるＧＴＰチャネル構成情報は、限定ではないが、ＤＵのトランスポート層アドレス情報を含む（ユーザプレーントランスポート層がＧＴＰ−Ｕプロトコルを採用する場合、トランスポート層ＩＰアドレス情報およびＧＴＰ  ＴＥＩＤが含まれる）。
【０１５８】
ステップ１００６では、ＤＵからＧＴＰチャネル構成情報を受信した後、ＣＵ−Ｃが、ＧＴＰチャネル構成情報をＤＵからＣＵ−Ｕにフィードバックし、ＧＴＰチャネル構成を完成させる。
【０１５９】
ここで、ＣＵ−ＵがＤＵのＧＴＰチャネル構成情報を受信する場合、ＣＵ−ＵとＤＵとの間のＧＴＰチャネル構成が成功したことが示され、この場合、ＣＵ−Ｃは、ＧＴＰチャネル構成成功メッセージを通して、ＤＵのＧＴＰチャネル構成修正情報をＣＵ−Ｕにフィードバックする。
【０１６０】
ＤＵのＧＴＰチャネル構成情報が受信されない場合、ＣＵ−ＵとＤＵとの間のＧＴＰチャネル構成が失敗したことが示され、この場合、ＣＵ−Ｃは、ＧＴＰチャネル構成失敗メッセージおよび対応する失敗理由をＣＵ−Ｕに送信する。
【０１６１】
ステップ１００７では、ＣＵ−Ｃは、ＮＧインターフェースを通して、ＰＤＵセッション確立成功メッセージをＮＧＣに送信し、ＧＴＰチャネル構成が成功したというＰＤＵセッション情報をＮＧＣにフィードバックする。
【０１６２】
ここで、ＮＧＣにフィードバックされるＰＤＵセッション情報は、限定ではないが、以下の情報：ＣＵ−Ｕのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、およびユーザプレーン構成が単一のセッション内で成功する１つ以上のフローＩＤのうちの１つ以上を含む。
【０１６３】
ＣＵ−ＵとＤＵとの間のＧＴＰチャネル構成が失敗するとき、ＮＧＣにフィードバックされるＰＤＵセッション情報は、随意に、ユーザプレーン構成が失敗する１つ以上のフローＩＤ、および対応する失敗理由を含む。
【０１６４】
（実施形態６）
実施形態１に基づいて、本実施形態は、ＰＤＵセッションが修正されるときに、ＣＵ−ＣがＧＴＰ伝送チャネルを構成する際にＣＵ−ＵおよびＤＵを支援する、プロセスを説明する。図１１に示されるように、本プロセスは、以下を含む。
【０１６５】
ステップ１１０１では、ＮＧＣが、ＰＤＵセッション修正要求をＣＵ−Ｃに送信する。
【０１６６】
ここで、ＰＤＵセッション修正要求は、ＰＤＵセッション修正関連情報を搬送する。すなわち、ＣＵ−Ｃは、ＮＧインターフェースのＰＤＵセッション修正プロシージャを通して、ＮＧＣからＰＤＵセッション修正関連情報を取得する。
【０１６７】
関連情報は、ＧＴＰチャネル情報と、現在のＰＤＵセッションを修正するために要求されるＰＤＵセッション情報とを含む。
【０１６８】
具体的には、関連情報は、限定ではないが、以下の情報：コアネットワークＵＰ  ＧＷのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、単一のセッション内で追加される１つ以上のフローＩＤ、フローに対応する非ＧＢＲサービスのＱｏＳ関連情報、フローに対応するＧＢＲサービスのＱｏＳ関連情報、単一のセッション内で修正される１つ以上のフローＩＤ、フローに対応する非ＧＢＲサービスのＱｏＳ関連情報、フローに対応するＧＢＲサービスのＱｏＳ関連情報、および単一のセッション内で削除される１つ以上のフローＩＤのうちの１つ以上を含む。
【０１６９】
ステップ１１０２では、要求を受信した後、ＣＵ−Ｃが、ＰＤＵセッション修正要求をＣＵ−Ｕに送信する。
【０１７０】
ここで、送信されたＰＤＵセッション修正要求は、修正されたＰＤＵセッション関連情報を搬送する。すなわち、ＣＵ−Ｃは、ＸｎインターフェースのＰＤＵセッション修正プロシージャを通して、修正されたＰＤＵセッション関連情報をＣＵ−Ｕに伝送する。
【０１７１】
伝送されたＰＤＵセッション関連情報は、ＧＴＰチャネル情報と、現在のＰＤＵセッションを修正するために要求されるＰＤＵセッション情報とを含む。
【０１７２】
ステップ１１０３では、要求を受信した後、ＣＵ−Ｕが、ＧＴＰチャネル構成情報をＣＵ−Ｃに送信する。
【０１７３】
具体的には、ＣＵ−Ｃから修正されたＰＤＵセッション関連情報を受信した後、ＣＵ−Ｕは、ユーザプレーン構成に修正（追加、修正、または削除等）を実施し、インターフェースメッセージを通して、ユーザプレーン伝送のための修正されたローカルＧＴＰチャネル構成修正情報をＣＵ−Ｃに送信する。
【０１７４】
送信されたＧＴＰチャネル構成修正情報は、限定ではないが、ＣＵ−Ｕのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）を含む。
【０１７５】
ステップ１１０４では、ＣＵ−ＵからＧＴＰチャネル構成修正情報を受信した後、ＣＵ−Ｃが、ＧＴＰチャネル構成修正情報をＤＵに転送する。
【０１７６】
ここで、ＤＵに送信されるＧＴＰチャネル構成修正情報は、限定ではないが、ＣＵ−Ｕのトランスポート層アドレス情報を含む（ユーザプレーントランスポート層がＧＴＰ−Ｕプロトコルを採用する場合、トランスポート層ＩＰアドレス情報およびＧＴＰ  ＴＥＩＤが含まれる）。
【０１７７】
ステップ１１０５では、ＣＵ−Ｃによって転送されるＣＵ−ＵについてのＧＴＰチャネル構成修正情報を受信した後、ＤＵは、そのＧＴＰチャネル構成修正情報をＣＵ−Ｃにフィードバックする。
【０１７８】
ここで、フィードバックされたＧＴＰチャネル構成修正情報は、限定ではないが、ＤＵのトランスポート層アドレス情報を含む（ユーザプレーントランスポート層がＧＴＰ−Ｕプロトコルを採用する場合、トランスポート層ＩＰアドレス情報およびＧＴＰ  ＴＥＩＤが含まれる）。
【０１７９】
ステップ１１０６では、ＤＵからＧＴＰチャネル構成修正情報を受信した後、ＣＵ−Ｃが、ＧＴＰチャネル構成修正情報をＤＵからＣＵ−Ｕにフィードバックし、ＧＴＰチャネル構成修正を完成させる。
【０１８０】
ここで、ＣＵ−ＵがＤＵのＧＴＰチャネル構成情報を受信する場合、ＣＵ−ＵとＤＵとの間のＧＴＰチャネル構成が成功したことが示され、この場合、ＣＵ−Ｃは、ＧＴＰチャネル構成修正成功メッセージを通して、ＤＵのＧＴＰチャネル構成修正情報をＣＵ−Ｕにフィードバックする。
【０１８１】
ＣＵ−ＣがＤＵからＧＴＰチャネル構成修正情報を受信することができない場合、ＧＴＰチャネル構成失敗メッセージおよび対応する失敗理由が、ＣＵ−Ｕに送信される。
【０１８２】
ステップ１１０７では、ＣＵ−Ｃが、ＮＧインターフェースを通して、ＰＤＵセッション修正成功メッセージをＮＧＣに送信し、ＧＴＰチャネル構成修正が成功したというＰＤＵセッション情報をＮＧＣにフィードバックする。
【０１８３】
ここで、ＮＧＣにフィードバックされるＰＤＵセッション情報は、限定ではないが、以下の情報：ＣＵ−Ｕのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、およびユーザプレーン構成が単一のセッション内で成功する１つ以上のフローＩＤのうちの１つ以上を含む。
【０１８４】
ＣＵ−ＵとＤＵとの間のＧＴＰチャネル構成修正が失敗するとき、ＮＧＣにフィードバックされるＰＤＵセッション情報は、随意に、ユーザプレーン構成が失敗する１つ以上のフローＩＤ、および対応する失敗理由を含む。
【０１８５】
（実施形態７）
実施形態１に基づいて、本実施形態は、ＰＤＵセッションが削除されるときに、ＣＵ−ＣがＧＴＰ伝送チャネルを構成する際にＣＵ−ＵおよびＤＵを支援する、プロセスを説明する。図１２に示されるように、本プロセスは、以下を含む。
【０１８６】
ステップ１２０１では、ＮＧＣが、ＰＤＵセッション削除要求をＣＵ−Ｃに送信する。
【０１８７】
ここで、ＰＤＵセッション削除要求は、ＰＤＵセッション関連情報を搬送する。すなわち、ＣＵ−Ｃは、ＮＧインターフェースのＰＤＵセッション削除プロシージャを通して、ＮＧＣからＰＤＵセッション関連情報を取得する。
【０１８８】
関連情報は、ＰＤＵセッションを削除するために要求される情報を含む。
【０１８９】
具体的には、関連情報は、限定ではないが、以下の情報：コアネットワークＵＰ  ＧＷのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、およびセッション削除の理由のうちの１つ以上を含む。
【０１９０】
ステップ１２０２では、要求を受信した後、ＣＵ−Ｃが、ＰＤＵセッション削除要求をＣＵ−Ｕに送信する。
【０１９１】
ここで、送信されたＰＤＵセッション削除要求は、ＰＤＵセッションを削除するために要求される情報を搬送する。すなわち、ＣＵ−Ｃは、ＸｎインターフェースのＰＤＵセッション削除プロシージャを通して、ＰＤＵセッションを削除するために要求される情報をＣＵ−Ｕに伝送する。
【０１９２】
ＰＤＵセッションを削除するために要求される伝送された情報は、限定ではないが、以下の情報：コアネットワークＵＰ  ＧＷのトランスポート層アドレス情報（ユーザプレーントランスポート層がＧＴＰ−Ｕプロトコルを採用する場合、トランスポート層ＩＰアドレス情報およびＧＴＰ  ＴＥＩＤが含まれる）、セッションＩＤ、およびセッション削除の理由のうちの１つ以上を含む。
【０１９３】
ステップ１２０３では、要求がＣＵ−Ｃによって受信された後、ＧＴＰチャネル構成削除情報が、ＣＵ−Ｃに送信される。
【０１９４】
具体的には、ＰＤＵセッションを削除することの関連情報を受信した後、ＣＵ−Ｕは、対応するローカルＧＴＰチャネル構成情報を削除し、ＧＴＰチャネル構成削除情報をＣＵ−Ｃに送信する。
【０１９５】
送信されたＧＴＰチャネル構成削除情報は、限定ではないが、ＣＵ−Ｕのトランスポート層アドレス情報を含む（ユーザプレーントランスポート層がＧＴＰ−Ｕプロトコルを採用する場合、トランスポート層ＩＰアドレス情報およびＧＴＰ  ＴＥＩＤが含まれる）。
【０１９６】
ステップ１２０４では、ＣＵ−ＵからＧＴＰチャネル構成削除情報を受信した後、ＣＵ−Ｃが、ＧＴＰチャネル構成削除情報をＤＵに転送する。
【０１９７】
ステップ１２０５では、ＣＵ−Ｃによって転送されるＣＵ−ＵについてのＧＴＰチャネル構成削除情報を受信した後、ＤＵが、対応するローカルＧＴＰチャネル構成情報を削除し、応答メッセージを通して、ＧＴＰチャネル削除確認メッセージをＣＵ−Ｕに送信する。
【０１９８】
ステップ１２０６では、ＤＵからＧＴＰチャネル構成削除確認メッセージを受信した後、ＣＵ−Ｃが、ＮＧインターフェースを通して、ＰＤＵセッション削除確認メッセージをＮＧＣに送信する。
【０１９９】
（実施形態８）
本開示の実施形態の方法を実装するために、本実施形態は、第１のネットワーク要素内のユーザプレーンデータに関わるＣＵ−Ｕの中に配置される、ＧＴＰ伝送チャネルを構成するための装置を提供する。図１３に示されるように、本装置は、第１の取得ユニット１３１と、構成ユニット１３２と、伝送ユニット１３３とを含む。
【０２００】
第１の取得ユニット１３１は、Ｘｎインターフェースを通してセッション関連情報を取得するように構成され、Ｘｎインターフェースは、ＣＵ−Ｕと第１のネットワーク要素内の制御プレーンデータに関わるＣＵ−Ｃとの間のインターフェースであり、すなわち、Ｘｎインターフェースは、ＣＵ−ＵとＣＵ−Ｃとの間の相互作用に使用される。
【０２０１】
構成ユニット１３２は、セッション関連情報を使用することによって、ＧＴＰ伝送チャネル構成を実施するように構成される。
【０２０２】
伝送ユニット１３３は、ローカルＧＴＰ伝送チャネル構成の第１の関連情報を第２のネットワーク要素に伝送し、第２のネットワーク要素によって伝送されるＧＴＰ伝送チャネル構成の第２の関連情報を受信するように構成される。
【０２０３】
取得されたセッション関連情報がセッション確立プロセスにおけるセッション関連情報であるとき、構成ユニット１３２は、セッション関連情報を使用することによって、ユーザプレーン構成を実施するように構成される。第１の関連情報は、ローカルユーザプレーンデータによって伝送されるＧＴＰ伝送チャネル構成情報であり、第２の関連情報は、第１の関連情報に対応する、第２のネットワーク要素のローカルユーザプレーンデータによって伝送されるＧＴＰ伝送チャネル構成情報である。
【０２０４】
取得されたセッション関連情報がセッション修正プロセスにおけるセッション関連情報であるとき、構成ユニット１３２は、セッション関連情報を使用することによって、ユーザプレーン構成を修正するように構成される。それに対応して、第１の関連情報は、ローカルユーザプレーンデータによって伝送されるＧＴＰ伝送チャネル構成修正情報であり、第２の関連情報は、第１の関連情報に対応する、第２のネットワーク要素のローカルユーザプレーンデータによって伝送されるＧＴＰ伝送チャネル構成修正情報である。
【０２０５】
取得されたセッション関連情報がセッション削除プロセスにおけるセッション関連情報であるとき、構成ユニット１３２は、セッション関連情報を使用することによって、ＧＴＰ伝送チャネル構成を削除するように構成される。それに対応して、第１の関連情報は、ローカルユーザプレーンデータによって伝送されるＧＴＰ伝送チャネル構成削除情報であり、第２の関連情報は、第１の関連情報に対応する、第２のネットワーク要素のローカルユーザプレーンデータによって伝送されるＧＴＰ伝送チャネル構成削除確認情報である。
【０２０６】
実践用途では、ＣＵ−ＵとＤＵとの間のＧＴＰ伝送チャネルの構成のための２つの実装モードがあり、一方のモードは、ＣＵ−ＵおよびＤＵがそれら自体でＧＴＰ伝送チャネルを構成することであり、他方のモードは、ＣＵ−ＣがＧＴＰ伝送チャネルを構成する際にＣＵ−ＵおよびＤＵを支援することである。
【０２０７】
第１のモードでは、伝送ユニット１３３は、第１の関連情報を第２のネットワーク要素に直接送信し、第２のネットワーク要素によって直接送信される第２の関連情報を受信するように構成される。
【０２０８】
第２のモードでは、伝送ユニット１３３は、ＣＵ−Ｃを通して、第１の関連情報を第２のネットワーク要素に転送し、第２のネットワーク要素によって送信され、ＣＵ−Ｃによって転送される第２の関連情報を受信するように構成される。
【０２０９】
実践用途では、第１の取得ユニット１３１および伝送ユニット１３３は、ＧＴＰ伝送チャネルの構成装置において通信インターフェースによって実装されてもよい。構成ユニット１３２は、ＧＴＰ伝送チャネルの構成装置内のコントローラ（中央処理ユニット（ＣＰＵ）、マイクロ制御ユニット（ＭＣＵ）、デジタル信号プロセッサ（ＤＳＰ）、またはフィールドプログラマブルゲートアレイ（ＦＰＧＡ）等）によって実装されてもよい。
【０２１０】
加えて、当業者は、図１３に示される装置内のユニットの実装機能が、前述の方法の関連説明を参照して理解され得ることを理解するはずである。
【０２１１】
本開示の実施形態の方法を実装するために、本実施形態はまた、第１のネットワーク要素内の制御プレーンデータに関わるＣＵ−Ｃの中に配置される、ＧＴＰ伝送チャネルを構成するための装置も提供する。図１４に示されるように、本装置は、第２の取得ユニット１４１と、送信ユニット１４２とを含む。
【０２１２】
第２の取得ユニット１４１は、コアネットワークからセッション関連情報を取得するように構成される。
【０２１３】
送信ユニット１４２は、Ｘｎインターフェースを通して、セッション関連情報を第１のネットワーク要素内のユーザプレーンデータに関わるＣＵ−Ｕに送信するように構成され、セッション関連情報は、ＧＴＰ伝送チャネル構成を実施するためにＣＵ−Ｕによって使用される。
【０２１４】
第２の取得ユニット１４１は、ＮＧインターフェースを通してコアネットワークからセッション関連情報を取得するように構成される。
【０２１５】
ＮＧインターフェースは、コアネットワークとＣＵ−Ｃとの間のインターフェースであり、すなわち、ＮＧインターフェースは、コアネットワークとＣＵ−Ｃとの間の相互作用に使用される。
【０２１６】
ＣＵ−ＣがＧＴＰ伝送チャネルを構成する際にＣＵ−ＵおよびＤＵを支援するプロセスでは、ＣＵ−Ｃは、メッセージの転送に参加するように要求される。
【０２１７】
これに基づいて、実施形態では、本装置はまた、受信ユニットを含んでもよい。
【０２１８】
受信ユニットは、ＣＵ−Ｕによって送信されるＣＵ−ＵのローカルＧＴＰ伝送チャネル構成の第１の関連情報を受信し、第２のネットワーク要素によって送信される第２のネットワーク要素のローカルＧＴＰ伝送チャネル構成の第２の関連情報を受信するように構成される。
【０２１９】
送信ユニット１４２は、第１の関連情報を第２のネットワーク要素に転送し、第２の関連情報をＣＵ−Ｕに転送するように構成される。
【０２２０】
実践用途では、第２の取得ユニット１４１、伝送ユニット１４２、および受信ユニットは、プロセッサと組み合わせて、ＧＴＰ伝送チャネルを構成するための装置において通信インターフェースによって実装されてもよい。
【０２２１】
加えて、当業者は、図１４に示される装置内のユニットの実装機能が、前述の方法の関連説明を参照して理解され得ることを理解するはずである。
【０２２２】
本開示の実施形態の方法を実装するために、本実施形態はまた、ＧＴＰ伝送チャネルを構成するためのシステムも提供する。図１５に示されるように、本システムは、ＣＵ−Ｃ１５１と、ＣＵ−Ｕ１５２とを含む。
【０２２３】
ＣＵ−Ｃ１５１は、コアネットワークからセッション関連情報を取得し、Ｘｎインターフェースを通して、セッション関連情報をＣＵ−Ｕ１５２に送信するように構成される。
【０２２４】
ＣＵ−Ｕ１５２は、Ｘｎインターフェースを通してセッション関連情報を取得し、セッション関連情報を使用することによって、ＧＴＰ伝送チャネル構成を実施し、ローカルＧＴＰ伝送チャネル構成の第１の関連情報を第２のネットワーク要素に伝送し、第２のネットワーク要素によって伝送されるＧＴＰ伝送チャネル構成の第２の関連情報を受信するように構成される。
【０２２５】
ここで、ＣＵ−Ｕ１５２およびＣＵ−Ｃ１５１の具体的機能が上記で詳細に説明され、詳細が本明細書に説明されないことに留意されたい。
【０２２６】
本開示の実施形態が適用され得る適用シナリオは、図１６に示されるように、ロングタームエボリューション（ＬＴＥ）進化型ノードＢ（ｅＮＢ）および５ＧノードＢ（ｇＮＢ）が共存する、適用シナリオである。本シナリオでは、関与するネットワーク要素は、ｅＮＢと、ｇＮＢと、コアネットワーク（ＮＧ−ＣＰ／ＵＰ  ＧＷ）とを含む。第１のネットワーク要素（ＣＵ）は、Ｘｎインターフェースを通してｅＮＢおよびｇＮＢに接続される。第２のネットワーク要素（ＤＵ）は、端末（ＵＥ）に直接接続されてもよい。コアネットワークおよびｅＮＢは、ＮＧインターフェースを通して接続される。コアネットワークおよびｇＮＢもまた、ＮＧインターフェースを通して接続される。ｇＮＢは、２つの論理ノード、すなわち、ＣＵおよびＤＵに分割されてもよい。本シナリオでは、ＣＵは、本開示の実施形態のソリューションが直接実装され得るように、ＣＵ−ＵおよびＣＵ−Ｃに分割されてもよい。
【０２２７】
図１６に示されるネットワーク要素に関して、ネットワーク要素の機能を実装するために、対応するハードウェアデバイスコンポーネントは、プロセッサ、メモリ、通信インターフェース等を含んでもよい。
【０２２８】
当業者は、本開示の実施形態が、方法、システム、またはコンピュータプログラム製品として提供され得ることを理解するはずである。故に、本開示は、ハードウェア実施形態、ソフトウェア実施形態、またはソフトウェアおよびハードウェアに関する実施形態の組み合わせの形態をとってもよい。また、本開示は、コンピュータ利用可能プログラムコードを含む、１つ以上のコンピュータ利用可能記憶媒体（限定ではないが、ディスクメモリ、光学メモリ等を含む）上に実装される、コンピュータプログラム製品の形態をとってもよい。
【０２２９】
本開示は、本開示の実施形態による、方法、デバイス（システム）、およびコンピュータプログラム製品のフローチャート図および／またはブロック図を参照して説明される。フローチャートおよび／またはブロック図内の各フローならびに／もしくはブロック、ならびにフローチャートおよび／またはブロック図内のフローならびに／もしくはブロックの組み合わせは、コンピュータプログラム命令によって実装されることを理解されたい。これらのコンピュータプログラム命令は、コンピュータまたは他のプログラマブルデータ処理デバイスのプロセッサによって実行される命令が、フローチャートの１つ以上のフローの中および／またはブロック図の１つ以上のブロックの中で規定される機能を実装するための装置を生成するように、マシンを生成するために、汎用コンピュータ、専用コンピュータ、組み合わせプロセッサ、または他のプログラマブルデータ処理デバイスのプロセッサに提供されてもよい。
【０２３０】
これらのコンピュータプログラム命令はまた、コンピュータ可読メモリの中に記憶された命令が、命令装置を含む製品を生成するように、特定の様式で動作するようにコンピュータまたは他のプログラマブルデータ処理デバイスに指図し得る、コンピュータ可読メモリの中に記憶されてもよい。命令装置はまた、フローチャートの１つ以上のフローおよび／またはブロック図の１つ以上のブロックの中で規定される機能も実装する。
【０２３１】
これらのコンピュータプログラム命令はまた、一連の動作ステップが、コンピュータ実装処理を生成するためにコンピュータまたは他のプログラマブルデバイス上で実施されるように、コンピュータまたは他のプログラマブルデータ処理デバイス上にロードされてもよく、したがって、コンピュータまたは他のプログラマブルデバイス上で実行される命令は、フローチャートの１つ以上のフローおよび／またはブロック図の１つ以上のブロックの中で規定される機能を実装するためのステップを提供する。
【０２３２】
これに基づいて、本開示の実施形態はまた、記憶媒体、具体的には、プロセッサによって実行されると、第１のネットワーク要素内のユーザプレーンデータに関わるＣＵ−Ｕにおいていずれか１つの方法の上記のステップ、または第１のネットワーク要素内の制御プレーンデータに関わるＣＵ−Ｃにおいていずれか１つの方法の上記のステップを実装する、コンピュータプログラムを記憶する、コンピュータ可読記憶媒体も提供する。
【０２３３】
上記は、本開示の好ましい実施形態にすぎず、本開示の保護の範囲を限定することを意図していない。
【産業上の利用可能性】
【０２３４】
本開示の実施形態によって提供されるソリューションによると、ＣＵ−Ｃは、コアネットワークからセッション関連情報を取得し、ＣＵ−Ｕは、Ｘｎインターフェースを通してセッション関連情報を取得し、Ｘｎインターフェースは、ＣＵ−ＵとＣＵ−Ｃとの間の相互作用に使用され、ＣＵ−Ｕは、セッション関連情報を使用することによって、ＧＴＰ伝送チャネル構成を実施し、ローカルＧＴＰ伝送チャネル構成の第１の関連情報を第２のネットワーク要素に伝送し、ＣＵ−Ｕは、ＣＵ−ＵとＤＵとの間のＧＴＰ伝送チャネルの構成が、Ｘｎインターフェースを通して達成されるように、第２のネットワーク要素によって伝送されるＧＴＰ伝送チャネル構成の第２の関連情報を受信する。
【図１】
0006964675.tif 000002
【図２】
0006964675.tif 000003
【図３】
0006964675.tif 000004
【図４】
0006964675.tif 000005
【図５】
0006964675.tif 000006
【図６】
0006964675.tif 000007
【図７】
0006964675.tif 000008
【図８】
0006964675.tif 000009
【図９】
0006964675.tif 000010
【図１０】
0006964675.tif 000011
【図１１】
0006964675.tif 000012
【図１２】
0006964675.tif 000013
【図１３】
0006964675.tif 000014
【図１４】
0006964675.tif 000015
【図１５】
0006964675.tif 000016
【図１６】
0006964675.tif 000017